(57)【特許請求の範囲】
【請求項１】
撮影装置の撮影光路中の撮影対象物像面に置かれ、所定のパターンが形成されたレチクルであって、
表面に、方向がランダムな複数の直線又は曲線がエッチング又は切削によって溝形状に書き込まれ、
レチクルごとに前記所定のパターンが異なる
ことを特徴とするレチクル。
【請求項２】
撮影装置の撮影光路中の撮影対象物像面に置かれ、所定のパターンが形成されたレチクルであって、
表面に、線ごと又は線の途中で太さが変化する複数の直線又は曲線がエッチング又は切削によって溝形状に書き込まれ、
レチクルごとに前記所定のパターンが異なる
ことを特徴とするレチクル。
【請求項３】
請求項１または２に記載のレチクルであって、
レチクルごとに前記エッチングまたは切削条件が異なる
ことを特徴とするレチクル。
【請求項４】
顕微鏡と、この顕微鏡で観察する画像をデジタル化された画像データとして記録する撮影装置と、所定のパターンが形成され撮影対象物の撮影対象物像面に置かれるレチクルとを有し、前記レチクルの所定のパターンと共に撮影対象物画像を撮影する顕微鏡画像撮影装置であって、
前記レチクル表面に、方向がランダムな複数の直線又は曲線がエッチング又は切削によって溝形状に書き込まれ、
レチクルごとに前記所定のパターンが異なる
ことを特徴とする顕微鏡画像撮影装置。
【請求項５】
顕微鏡と、この顕微鏡で観察する画像をデジタル化された画像データとして記録する撮影装置と、所定のパターンが形成され撮影対象物の撮影対象物像面に置かれるレチクルとを有し、前記レチクルの所定のパターンと共に撮影対象物画像を撮影するする顕微鏡画像撮影装置であって、
前記レチクル表面に、線ごと又は線の途中で太さが変化する複数の直線又は曲線がエッチング又は切削によって溝形状に書き込まれ、
レチクルごとに前記所定のパターンが異なる
ことを特徴とする顕微鏡画像撮影装置。
【請求項６】
請求項４または５に記載の顕微鏡画像撮影装置であって、
レチクルごとにエッチングまたは切削条件が異なる
ことを特徴とする顕微鏡画像撮影装置。
【請求項７】
請求項４から６のいずれか１項記載の顕微鏡画像撮影装置であって、
前記レチクルは、画像撮影用鏡筒中に挿入されるアダプタに取付けられた
ことを特徴とする顕微鏡画像撮影装置。
【請求項８】
請求項４から７のいずれか１項記載の顕微鏡画像撮影装置であって、
前記撮影装置は、
撮影する顕微鏡画像に撮影対象物と共に前記レチクルの所定のパターンを写し込む手段と、
画像の撮影に際し、衛星測位システムから位置情報および時刻情報を取得して撮影する前記顕微鏡画像の画像データに付加する手段と、
前記画像データおよび前記画像データに付加された前記位置情報および前記時刻情報を記録する改竄防止機能を備える記録媒体と、
を有する
ことを特徴とする顕微鏡画像撮影装置。
【請求項９】
表面に所定のパターンが形成され撮影光路上の撮影対象物像面に配置されるレチクルの前記所定のパターンと共に撮影対象画像を撮影する撮影装置であって、
前記レチクルは、レチクルごとにその表面に方向がランダムな複数の直線または曲線からなる異なる所定のパターンが書き込まれ、
前記レチクルは、前記撮影装置の撮影光路上に着脱可能に取付けられるアダプタ内に配置された
ことを特徴とする撮影装置。
【請求項１０】
表面に所定のパターンが形成され撮影光路上の撮影対象物像面に配置されるレチクルの前記所定のパターンと共に撮影対象画像を撮影する撮影装置であって、
前記レチクルは、レチクルごとにその表面に線ごと又は線の途中で太さが異なる複数の線からなる異なる所定のパターン書き込まれ、
前記レチクルは、前記撮影装置の撮影光路上に着脱可能に取付けられるアダプタ内に配置された
ことを特徴とする撮影装置。
【請求項１１】
請求項９または１０に記載の撮影装置であって、
前記撮影装置は、
撮影する撮影対象物画像と共に前記レチクルの所定パターンを写し込む手段と、
画像の撮影に際し、衛星測位システムから位置情報および時刻情報を取得して撮影する前記撮影画像の画像データに付加する手段と、
前記画像データおよび前記画像データに付加された前記位置情報および前記時刻情報を記録する改竄防止機能を備える記録媒体と、
を有することを特徴とする撮影装置。
【発明の詳細な説明】
【技術分野】
【０００１】
本発明は、レチクル、顕微鏡画像撮影装置および撮影装置に関する。
【背景技術】
【０００２】
顕微鏡で観察した画像をデジタルカメラで撮影し、その画像データをパーソナルコンピュータに取り込み、詳細な観測や画像解析を行うことができる（たとえば特許文献１参照）。
【０００３】
顕微鏡での観察にはスケール（メモリ）やクロス（＋）等のパターンが透明なガラス板あるいは透明プラスチック板に書き込まれたレチクルを用いた観察が行われる。このレチクルは、撮影光路上の撮影対象物像面に置かれ、顕微鏡画像を撮影するときは撮影対象物の画像と共にレチクルのパターンを撮像素子で撮影する。このレチクルのパターンは、フッ化水素によるガラスの腐食（エッチング）加工、あるいはレーザ、切削機による切削加工、あるいは、特殊なペンによる線の書き込み等で作成される。
【先行技術文献】
【特許文献】
【０００４】
【特許文献１】特開２０１４−５９４４８号公報
【発明の概要】
【発明が解決しようとする課題】
【０００５】
デジタルカメラで撮影された画像データは、デジタル化された画像データであり、撮影された画像は、画像データとしてパーソナルコンピュータ等に取り込み、画像編集ソフトウェアを使用することで、部分的な切り貼り等の加工を行うことが可能であり、改竄が行われ易い。また、画像データが改竄されてもこれを看破することが現状では困難である。
【０００６】
本発明は、このような背景の下に行われたのであって、画像データの改竄や無断転用等を困難とすることができるレチクル、顕微鏡画像撮影装置および撮影装置を提供することを目的とする。
【課題を解決するための手段】
【０００７】
本発明は、撮影対象物像面に配置されるレチクルの所定のパターンを撮影対象物画像と共に撮影することで画像の改竄を困難にする。そのために、レチクルの所定のパターンを複製困難なものにして、画像の改竄を困難なものとする。
【０００８】
本発明の側面は、撮影装置の撮影光路中の撮影対象物像面に置かれ、所定のパターンが形成されたレチクルであって、所定のパターンは、エッチングまたは切削によって溝形状に書き込まれ、レチクルごとにエッチングまたは切削条件を変える。レチクル表面のパターンは、方向がランダムな複数の直線又は曲線がエッチング又は切削によって溝形状に書き込まれ、あるいは、線ごと又は線の途中で太さが変化する複数の直線又は曲線がエッチング又は切削によって溝形状に書き込まれたものであることができる。
【０００９】
本発明の他の側面は、顕微鏡と、この顕微鏡で観察する画像をデジタル化された画像データとして記録する撮影装置と、所定のパターンが形成され撮影対象物の撮影対象物像面に置かれるレチクルとを有し、レチクルの所定のパターンと共に撮影対象物画像を撮影する顕微鏡画像撮影装置であって、レチクルの所定のパターンは、エッチングまたは切削によって溝形状に書き込まれ、レチクルごとにエッチングまたは切削条件を変える。レチクル表面のパターンは、方向がランダムな複数の直線又は曲線がエッチング又は切削によって溝形状に書き込まれ、あるいは、線ごと又は線の途中で太さが変化する複数の直線又は曲線がエッチング又は切削によって溝形状に書き込まれたものであることができる。
【００１０】
例えば、レチクルは、画像撮影用鏡筒中に挿入されるアダプタに取付けられることができる。また、撮影装置は、撮影する顕微鏡画像に撮影対象物と共に前記レチクルの所定のパターンを写し込む手段と、画像の撮影に際し、衛星測位システムから位置情報および時刻情報を取得して撮影する顕微鏡画像の画像データに付加する手段と、画像データおよび画像データに付加された位置情報および時刻情報を記録する改竄防止機能を備える記録媒体とを有することができる。
【００１１】
本発明の他の側面は、表面に所定のパターンが形成され撮影光路上の撮影対象物像面に配置されるレチクルの前記所定のパターンと共に撮影対象画像を撮影する撮影装置であって、レチクルは、レチクルごとに異なる所定のパターンが書き込まれ、レチクルは、撮影装置の撮影光路上に着脱可能に取付けられるアダプタ内に配置されたものである。
【００１２】
たとえば、レチクルは、その表面に方向がランダムな複数の直線または曲線が書き込むことができ、また、線ごと又は線の途中で太さが異なる複数の線が書き込むことができる。
【００１３】
たとえば、撮影装置は、撮影する撮影対象物画像と共に前記レチクルの所定パターンを写し込む手段と、画像の撮影に際し、衛星測位システムから位置情報および時刻情報を取得して撮影する撮影画像の画像データに付加する手段と、画像データおよび画像データに付加された位置情報および時刻情報を記録する改竄防止機能を備える記録媒体と、を有することができる。
【発明の効果】
【００１４】
本発明によれば、レチクルに形成された所定のパターンは、複製困難なものとなるので、レチクルの所定のパターンが写し込まれた画像データの改竄を困難にすることができる。また、画像データの無断転用、流用を抑止することができる。
【図面の簡単な説明】
【００１５】
【図１】本発明の実施の形態に係る顕微鏡画像撮影装置の全体構成図である。
【図２】図１のアダプタを示す図であり、レチクルのアダプタへの取り付け手順を併せて示す図である。
【図３】レチクルの一例であり方向がランダムの複数の直線が形成されたレチクルのパターンを示す図である。
【図４】図３の方向がランダムな直線が形成されたレチクルのパターンが写し込まれた例を示す図である。
【図５】図３のレチクルの交点を拡大した図であり、レチクルに描かれた線で生ずる線が多重に見える光学現象を模式的に表すものである。
【図６】図３のレチクルに描かれた線で生ずる光学現象を説明する図であり、線が多重に見える現象を説明する図である。
【図７】図３のレチクルに描かれた線で生ずる光学現象を説明する図であり、線が滲んで見える現象を説明する図である。
【図８】レチクルの一例であり異なる太さの複数の直線が形成されたレチクルのパターンを示す図である。
【図９】図８のパターンが写し込まれた例を示す図である。
【図１０】レチクルの一例であり複数の曲線が形成されたレチクルのパターンを示す図である。
【図１１】図１０のパターンが写し込まれた例を示す図である。
【図１２】レチクルの一例であり中心部にマークが形成された例を示す図である。
【図１３】図１２のレチクルのパターンが写し込まれた例を示す図である。
【図１４】レチクルの一例であり十字型のマークが配置されたパターンを示す図である。
【図１５】図１４のレチクルのパターンが写し込まれた例を示す図である。
【図１６】撮影用レンズとアダプタとを用いたレンズ交換式カメラを用いた他撮影装置の構成を示す図である。
【図１７】図１６のカメラ前面にアダプタを取り付ける例の光学系を説明する図である。
【図１８】レチクル表面に方向がランダムな複数の曲線が形成されたパターンが形成されたレチクルのパターンが写し込まれた画像の例を示す図である。
【図１９】レチクル表面に太さが異なる複数の直線が形成されたレチクルのパターンが写し込まれた画像の例を示す図である。
【発明を実施するための形態】
【００１６】
本発明の顕微鏡画像撮影装置１は、光学的に観察対象物を観察する顕微鏡１０と、この顕微鏡１０で観察した画像をデジタル化された画像データとして記録する撮影装置２０と、を有する。
【００１７】
撮影装置２０は、撮影する顕微鏡画像に所定のパターンを写し込むレチクル（ミクロメータ）２３と、画像の撮影に際し、ＧＰＳ(Global Positioning System)などの衛星測位システムから位置情報および時刻情報を取得して撮影する顕微鏡画像の画像データに付加するＧＰＳ情報付加部２１と、画像データおよび画像データに付加された位置情報および時刻情報を記録する改竄防止機能を備える記録媒体２２と、を有する。さらに、撮影装置２０は、ＧＰＳ情報付加部２１、記録媒体２２およびレチクル２３の装着の有無の確認を制御する制御部２４を有する。なお、上述のＧＰＳは衛星測位システムの一例であり、ＧＰＳ以外の他の衛星測位システム、例えば準天頂衛星等の衛星測位システムを用いてもよい。
【００１８】
撮影装置２０は、ＣＣＤ(Charge Coupled Device) またはＣ−ＭＯＳイメージセンサを有するデジタルカメラである。顕微鏡画像の撮影に際しては、デジタルカメラである撮影装置２０には、レンズに代えてアダプタ２５が装着される。アダプタ２５には、レチクル２３を挿入するための挿入孔２６を有する。アダプタ２５の一端は、顕微鏡１０の撮影用鏡筒２７の所定の取付孔に接続され、他端は、撮影装置２０側のレンズ取付孔に接続される。これにより、顕微鏡１０の観察対象物の画像が撮影装置２０のＣＣＤまたはＣ−ＭＯＳイメージセンサ上に結像するための適切な焦点距離を得ることができる。
【００１９】
レチクル２３は、図２に示すように、ホルダ２３ａに嵌め込まれ、アダプタ２５の挿入孔２６に差し込まれる。レチクル２３をアダプタ２５から取り出すときには、レチクル２３を差し込んだ側とは反対側の挿入孔２６から指などでホルダ２３ａを押し出すことでレチクル２３およびホルダ２３ａを取り出すことができる。なお、レチクル２３は、アダプタ２５の先端にねじなどで取り付けるものでもよい。以下では、説明を簡単にするために、図２以外ではホルダ２３ａの図示は省略すると共に、レチクル２３とホルダ２３ａとを一体的にレチクル２３として説明する。また、レチクル２３はアダプタ２５を用いずに顕微鏡の撮影光路中に挿入されるものでもよい。
【００２０】
ＧＰＳ情報付加部２１は、ＧＰＳ衛星からの電波を受信することにより、撮影装置２０の位置情報と時刻情報を取得する。さらに、ＧＰＳ情報付加部２１は、撮影装置２０が撮影した画像データに対し、ＧＰＳ衛星から取得した位置情報および時刻情報を付加することにより対応付ける。たとえば、画像データ内の書込可能な未使用領域に、取得した位置情報および時刻情報を書き込むことで、画像データと取得した位置情報および時刻情報とを対応付ける。
【００２１】
記録媒体２２は、たとえば、改竄防止機能を有するＳＤカードであり、記録媒体は、パーソナルコンピュータ（ＰＣ）などを介さず直接撮影装置２０からの記録のみを受け付け、パーソナルコンピュータからのデータなど改竄の可能性のあるデータの書き込みは不可とする。データの読み出しに関しては特に制限を設けず、汎用機器による読み出しは可能とする。改竄防止機能を有するＳＤカードは、いったん記録された画像データその他の情報は、読み出しはできるが、上書きや変更ができない。
【００２２】
ＧＰＳ情報付加部２１および制御部２４は、撮影装置２０内の情報処理装置の機能の一部である。すなわち、ＧＰＳ情報付加部２１および制御部２４は、情報処理装置が予めインストールされている所定のプログラムを実行することによって実現することができる。このような情報処理装置は、たとえば、不図示のメモリ、ＣＰＵ(Central Processing Unit)、入出力ポートなどを有する。情報処理装置のＣＰＵは、メモリなどから所定のプログラムとして制御プログラムを読み込んで実行する。これにより、情報処理装置には、ＧＰＳ情報付加部２１および制御部２４の機能が実現される。なお、ＣＰＵの代わりにＡＳＩＣ(Application Specific Integrated Circuit)、マイクロプロセッサ（マイクロコンピュータ）、ＤＳＰ(Digital Signal Processor)などを用いてもよい。
【００２３】
また、上述の所定のプログラムは、撮影装置２０の出荷前に、情報処理装置のメモリなどに記憶されたものであっても、撮影装置２０の出荷後に、情報処理装置のメモリなどに記憶されたものであってもよい。また、プログラムの一部が、撮影装置２０の出荷後に、情報処理装置のメモリなどに記憶されたものであってもよい。撮影装置２０の出荷後に、情報処理装置のメモリなどに記憶されるプログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００２４】
また、上述の所定のプログラムは、情報処理装置によって直接実行可能なものだけでなく、ハードディスクなどにインストールすることによって実行可能となるものも含む。また、圧縮されたり、暗号化されたりしたものも含む。
【００２５】
ここで、撮影した撮影対象物画像に対して所定のパターンが形成されたレチクル２３の例を図３〜図１５を参照しながら説明する。
【００２６】
顕微鏡画像として撮影対象物画像と共にレチクル２３の所定のパターンを写し込むものとして、レチクル２３の表面全体に方向がランダムな複数の線を描いた例を図３に示す。図３は、レチクル２３の全体に方向がランダムな複数の直線が描かれている。図４は図３のレチクル２３のパターンが写し込まれた画像の例を示すものである。図３のレチクル２３では、方向がランダムな複数の直線の組み合わせがレチクル２３ごとに異なることで、レチクル２３を個別に識別することができ、他のレチクル２３を用いて撮影した画像と区別することができる。これにより、画像データの撮影者や所有者を明確にすることができる。そして、画像全体に線が行き交うことで、画像の部分的な抽出や部分的差し替えなどの加工が困難になる。これにより、画像の改竄作業が困難になる。また、画像が流出あるいはインターネット上で公開された場合に、他者が画像を無断で引用することの抑止力になる。
【００２７】
図５は、図３、図４に示すレチクル２３の交点の画像をさらに拡大して模式的に表した図である。ここで、レチクル２３に形成された方向がランダムな複数の直線は、ガラス表面に腐食加工あるいはレーザ加工により凹溝形状（台形を反転した形状の溝形状）で書き込まれたものである。このように形成された形状の線は、拡大すると、溝の壁である線（境界線）に平行に多重な境界線が現れる。さらに、境界線には、色収差が現れる。これは多色で線の滲みとして現れるが図示されていない。この線を拡大した場合にでる多重線および色収差は、線を描くときの加工の条件により異なるため、再現性が低く、同一条件で同じものを作成することは困難である。
【００２８】
図６は、レチクル２３の表面の溝形状断面を拡大して描いた図であり、線が多重に見える現象を説明する図である。図５に示されたように溝の壁に当たる線の太さが変化して複数の線があるように多重に見えるのは、溝断面の壁による光回折現象によって見える現象と考えられる。また、図７は、レチクル２３の表面の溝形状の断面のプリズム効果による分光現象を説明する図である。この現象は、溝の壁によるプリズム効果により光が分光して、多数の色に分散することで、色収差が現れ、溝の壁の線が滲む現象（残像現象）として見えると考えられる。
【００２９】
このように、ガラス板のレチクル表面に溝形状を形成するために腐食加工（エッチング）を行う場合に、腐食条件が異なれば、溝形状で生ずる光学効果の現れ方は異なってくるので、同一幅の線を描いたとしても、拡大した場合に現れる線の光学効果は異なり、複製は困難となる。したがって、腐食加工条件を変えることで、同一の線幅のパターンであっても容易にレチクル２３ごとに形成されるパターンを異なるものとすることができ、複製が困難であるため、レチクル２３と共に写し込まれた撮影した画像の改竄は困難となる。
【００３０】
上述のレチチル２３に形成される直線は、０．０５ｍｍ〜０．０２ｍｍ程度の線幅に形成される。この線は、拡大すると溝の壁が２本の線として現れるように形成するのが好ましいが、２本の線が１本の線と見えるＶ字状の溝形状でも、回折および分光による多重の線および色収差が生ずるので、溝形状は台形状を反転したものに限定されない。また、腐食やレーザ加工以外に、切削による加工も可能である。特にレチクル２３が透明プラスチック板である場合には切削加工が可能である。この場合は、レチクル２３ごとに加工条件の設定を変えて、レチクルごとに現れる光学効果が異なるようにすればよい。
【００３１】
顕微鏡画像として撮影対象物画像と共にレチクル２３の所定のパターンを写し込むものとして、レチクル２３の表面全体に方向がランダムで異なる太さ（線幅）の複数の線を描いた例を図８に示す。図８は、レチクル２３全体に方向がランダムで異なる線幅の複数の直線が描かれている。図９は、図８のパターンが写し込まれた画像の例を示したものであり、画像全体に方向がランダムの複数の太さの異なる直線が写し込まれている。レチクル２３に描かれた線は、その太さが０．０５ｍｍ〜０．０２ｍｍである。この場合、１本の直線を途中で異なる太さにしてもよく、また、複数の直線の太さを異なることなるものとし、かつ１本の直線の太さを変化させるようにしてもよい。このように直線の太さを異なるようにするには、たとえば、溝形状を形成する腐食加工の際のレジストの太さを変化させればよい。
【００３２】
このように、レチクル２３に形成する複数の直線の太さが変化するようにすることで、直線の太さの組み合わせは多数生ずるため、線が描かれたレチクルごとに現れるパターンを異なるものとすることができ、同一のレチクル２３のパターンを複製することは困難になる。このため、写し込まれた画像データの撮影者や所有者を明確することができる。また、直線の方向がランダムであることで、レチクル２３ごとのパターンをさらに異なるものとすることができる。さらに直線の太さが異なるため、溝周辺で生ずる光学現象も差異が生ずるので、再現の難度を上げることができる。このため、画像データの改竄が困難となる。また、レチクル２３に描かれたパターンにより画像データの撮影者や撮影対象物の所有者を特定できるため、いったん撮影された画像を無断で転載、流用することが抑止され、画像が流出もしくは他インターネットに公開された場合に、他者が無断で引用することを抑止できる。
【００３３】
図１０は、方向がランダムな複数の直線をレチクル２３の表面全体に書き込んだ実施の形態を、直線に代えて曲線を書き込んだものである。図１１は、図１０を部分的に拡大したものである。この場合も、複数の曲線の数、方向、配置のパターンは無数にあるので、複製は困難であり、また、溝形状の周辺で現れる光学現象はレチクル２３ごとに異なるものとすることができる。したがって、曲線が写し込まれた画像データの改竄は困難であり、改竄防止の効果があり、無断転載や流用防止の効果がある。画像が流出もしくはインターネット上で公開された場合に、他者が無断で画像を引用しようとした際に抑止力となる。
【００３４】
撮影した画像に対して所定のパターンを写し込むためのレチクル２３の例を図１２に示す。図１２は、レチクル２３の中心に撮影者や所有者等を識別できるマークを線分で描いている。図１３は、図１２のマークが写し込まれた画像の例を示したものであり、画像全体にマークが写し込まれている。マークは、撮影者や画像の所有者等を示している。このマークの線分を溝形状に加工し、その溝形状の加工条件を変えることで、複製を困難にすることができる。それにより、複製困難なパターンであるマークが付されたレチクル２３のパターンを写し込むことで、画像の部分的な抽出や部分的な差し替えなどの加工を困難にすることができ、画像の改竄が困難になる。また、画像が流出もしくはインターネット上で公開された場合に、他者が無断で画像を引用しようとした際に抑止力になる。
【００３５】
撮影した画像に対して所定のパターンを写し込むためのレチクル２３の例を図１４に示す。図１４は、レチクル全体に十字型に配置されたマークが複数描かれている。図１５は、図１４のマークが写し込まれた画像の例を示すものである。この十字型のマークは、腐食加工によって溝形状に形成されたもので、この溝形状は断面が台形を反転させた形状となっている。このマークの腐食加工の条件を変えることによって、十字型のマークの溝形状から生ずる光学現象がレチクルごとに異なるため、レチクル２３ごとに撮影した画像は相違してくる。このため、撮影した画像に写し込まれたレチクル２３のパターンが撮影者や所有者等を示すことができ、画像データの撮影者や所有者を明確にすることができる。また、画像全体にレチクル２３ごとに異なる多数のマークが配置されることで、画像の部分的な抽出や部分的な差し替えなどの加工を困難することができ、改竄を防止の効果がある。また、画像が流出もしくはインターネット上で公開された場合に、他者が無断で画像を引用しようとした際に抑止力となる。
【００３６】
このように、レチクル２３の表面に線分の多重線および色の滲み等の光学現象を生ずるパターンを形成して、これを撮影画像として撮影対象物と共に写し込むことが可能となる。このパターンは、加工条件を同じにして再現することが難しいため、画像データの改竄防止、無断引用を抑止することが可能である。
【００３７】
撮影装置２０には、画像の撮影に際し、ＧＰＳから位置情報および時刻情報を取得して撮影した画像の画像データに対応付けるＧＰＳ情報付加部２１を有するので、画像を撮影した場所が特定できると同時に、ＧＰＳ衛星から送られた正確な時刻情報を画像データに対応することができる。これにより、特定の時刻に特定の位置で撮影された画像データを他の画像データと区別することが容易となり、画像データの改竄を困難にすることができる。
【００３８】
また、画像データおよび画像データに対応付けられた位置情報および時刻情報を記録する改竄防止機能を備える記録媒体２２を有するので、いったん記録媒体２２に記録された画像データその他の情報は、読み出しはできるが、上書きや変更ができない。これによれば、いったん記録媒体２２に記録された画像データをその記録媒体２２の中では改竄することが困難になるため画像データの改竄を困難にすることができる。
【００３９】
また、顕微鏡１０で観察する画像に所定のパターンを写し込むレチクル２３を有するので、画素データの撮影者や所有者を特定することが容易になり画像データの改竄を困難にし、画像データの無断転載や流用の抑止となる。レチクル２３の写し込みは、デジタル化される以前の画像、すなわちアナログデータに対して行われる。このため、画像データからレクチク２３による写し込みを消去することは難しい。画像データから所定のデジタルデータを削除するといったデジタル処理では、レチクル２３による写し込みを消去することは困難である。たとえばレチクル２３による写し込みを有する画像データをパーソナルコンピュータの画面上に表示させ、これを人が手作業で消去していくといったアナログ的な作業が必要になる。また、レチクル２３による写し込みを消去した後の画像データから写し込みを消去した形跡を無くす作業にもアナログ的な作業が必要になり時間を要する。このため、レチクル２３による写し込みは、画像データの改竄を防止するだけでなく、無断転載や流用の抑止効果も有する。
【００４０】
さらに、レチクル２３の所定のパターンが写し込まれた画像データは、目視でのオリジナルデータとの比較検証が容易である。このため、改竄防止用メモリカードに保存された撮影日時、場所、所有者等の情報を重ね合せることで、信頼性の検証が可能となる効果がある。
【００４１】
また、画像情報を記録した改竄防止機能を有するＳＤカードである記録媒体２２を入れるポケットを持ち、その画像情報がどのような目的で誰がいつ撮影したかという情報を表面に貼付できるファイルに入れて資料として保管することで、さらなる改竄の防止を期待することができる。
【００４２】
上述の実施の形態は、顕微鏡画像撮影装置での撮影について説明したが、次に顕微鏡画像ではない一般のデジタルカメラでのレチクルを用いた撮影装置について説明する。
【００４３】
一般のデジタルカメラを用いてレチクルのパターンと共に撮影対象物の画像を撮影する場合は、レチクルを収納しているアダプタをデジタルカメラの前面に取り付ける態様で実施する。図１６は、レンズ交換式デジタルカメラで撮影する場合の構成を示す図である。この撮影装置は、デジタルカメラ４０の前面にレチクル４３が収納されているアダプタ４２が取り付けられ、このアダプタ４３の前面に通常のカメラの撮影用レンズ筒４６が取り付けられる。
【００４４】
この撮影装置の光学系の概念図を図１７に示す。デジタルカメラ４０は、撮像素子４１としてＣＣＤまたはＣ−ＭＯＳイメージセンサを有している。アダプタ４２は、撮像素子の入射光路の光軸上に配置されて取り付けられ、レチクル４３の前面に被写体側レンズ４４が、レチクル４３の後面で撮像素子４１の前面に撮影素子側レンズ４５が設けられている。
【００４５】
被写体側レンズ４４は、レチクル４３の位置に撮影対象物画像を結像させる。撮像素子側レンズ４５は、デジタルカメラ４０の撮像素子４１の位置で撮影対象物画像とレチクル４３のパターンを再度結像させる。また、アダプタ４２には、撮影物画像を正立した位置に反転させて撮像素子４１に結像させるためレンズも内蔵するが説明を簡単にするために図示していない。このようなアダプタ４２を撮影用レンズ筒４６とデジタルカメラ４０との間に取り付けることで、撮影対象物画像と共にレチクル４３のパターンを写し込むことができる。
【００４６】
上述のレチクル４３としては、レチクル２３のように、回折および分散の光学現象が生ずる溝形状を形成したものでなくてもよい。溝形状を形成しないものとしてはレチクル４３の表面に線を描いて書き込むものでもよい。また、レクチル４３のパターンとしては、パターンにより個々のレチクル４３を識別できるような複製困難なパターンであればよいので、指紋、文字、二次元コード、マーク等のパターンが形成されていればよい。図４に示した方向がランダムな複数の曲線が書き込まれたレチクル４３のパターンと共に撮影対象物を写し込んだ画像の例を図１８に示す。また、図９の太さが異なる複数の直線が書き込まれたレチクル４３のパターンと共に撮影対象物を写し込んだ画像の例を図１９に示す。
【００４７】
このように、改竄を困難にするパターンが形成されたレチクル４３を収納するアダプタを用いることで、顕微鏡画像撮影装置ではない一般的なデジタルカメラで撮影した画像であっても、改竄を防止し、無断転用を抑止することが可能である。
【００４８】
また、レチクル４３は、アダプタ４５から使用者が自由に取り出し、任意のレチクルに入れ換えることができる。また、デジタルカメラ４０は、レンズ交換式のカメラに限られなく、レンズ固定式のデジタルカメラでも、同様の光学機能をもつアダプタ４２をレンズ前面に取り付けることで、レチクル４３のパターンを撮影した画像に写し込むことができる。
【符号の説明】
【００４９】
１…顕微鏡画像撮影装置、１０…顕微鏡、２０…撮影装置、２１…ＧＰＳ情報付加部（付加する手段）、２２…記録媒体、２３…レチクル（写し込む手段）、２４…制御部、２５…アダプタ、２６…挿入孔、２７…撮影用鏡筒、４０…デジタルカメラ、４１…撮像素子、４２…アダプタ、４３…レチクル、４４…被写体側レンズ、４５…撮像素子側レンズ、４６…撮影用レンズ筒
【図１】
0006517476.tif 000002
【図２】
0006517476.tif 000003
【図３】
0006517476.tif 000004
【図４】
0006517476.tif 000005
【図５】
0006517476.tif 000006
【図６】
0006517476.tif 000007
【図７】
0006517476.tif 000008
【図８】
0006517476.tif 000009
【図９】
0006517476.tif 000010
【図１０】
0006517476.tif 000011
【図１１】
0006517476.tif 000012
【図１２】
0006517476.tif 000013
【図１３】
0006517476.tif 000014
【図１４】
0006517476.tif 000015
【図１５】
0006517476.tif 000016
【図１６】
0006517476.tif 000017
【図１７】
0006517476.tif 000018
【図１８】
0006517476.tif 000019
【図１９】
0006517476.tif 000020